(57)【要約】【課題】主に各種電子機器の操作に用いられるスイッチ装置及びこれを用いたリモコン送信機に関し、良好な感触で確実な操作が可能なものを提供することを目的とする。【解決手段】ケース１１の開口孔１１Ａの外周近傍に、下方へ突出する略筒状のガイド壁１１Ｂを設けると共に、このガイド壁１１Ｂ下端に操作体１２の外周から突出した鍔部１２Ｂを当接させることによって、上方の開口孔１１Ａと下方のガイド壁１１Ｂ下端によって、操作体１２の傾きやがたつき等を防止できると共に、ガイド壁１１Ｂが開口孔１１Ａ外周よりやや外方に形成され、操作体１２外周との間には所定の隙間が設けられているため、開口孔１１Ａから飲料等が流入しても、操作体１２の上下動を殆ど損なうことなく、良好な感触で確実な操作が可能なものを得ることができる。【選択図】図１
2008140672.tif 000002
【特許請求の範囲】
【請求項１】
上面に開口孔が形成された略箱型のケースと、このケースの開口孔内に上下動可能に装着された操作体と、この操作体の上下動に応じて電気的接離を行うスイッチ接点からなり、上記ケースの開口孔の外周近傍に下方へ突出する略筒状のガイド壁を設けると共に、このガイド壁下端に上記操作体の外周から突出した鍔部を当接させたスイッチ装置。
【請求項２】
ケースのガイド壁に切欠部を形成した請求項１記載のスイッチ装置。
【請求項３】
ケースの開口孔とガイド壁の間に傾斜部を形成した請求項１記載のスイッチ装置。
【請求項４】
請求項１記載のスイッチ装置と、このスイッチ装置のスイッチ接点に接続された制御手段からなり、上記制御手段が上記スイッチ接点の電気的接離に応じて、送信手段からリモコン信号を送信するリモコン送信機。
【発明の詳細な説明】
【技術分野】
【０００１】
本発明は、主に各種電子機器の操作に用いられるスイッチ装置、及びこれを用いたリモコン送信機に関するものである。
【背景技術】
【０００２】
近年、映像や音響、空調等の各種電子機器の高機能化や多様化が進むなか、これらを操作するスイッチ装置やリモコン送信機においても、良好な感触で確実な操作を行えるものが求められている。
【０００３】
このような従来のスイッチ装置及びこれを用いたリモコン送信機について、図３及び図４を用いて説明する。
【０００４】
図３は従来のリモコン送信機の断面図、図４は同要部分解斜視図であり、同図において、１は略箱型で絶縁樹脂製のケース、２は絶縁樹脂製の操作体で、ケース１上面には複数の開口孔１Ａが形成され、この開口孔１Ａ内に複数の操作体２が操作部２Ａを上方へ突出させて、上下動可能に装着されている。
【０００５】
そして、ケース１の開口孔１Ａ外周には、操作体２外周と僅かな隙間を空けて下方へ突出する略角筒状のガイド壁１Ｂが設けられると共に、操作体２下面には下方へ突出する押圧部２Ｂが形成されている。
【０００６】
また、３は上下面に複数の配線パターン（図示せず）が形成された配線基板で、この上面にはカーボン等の複数の固定接点４が形成されると共に、外側の固定接点４上に、略ドーム状で導電金属板製の可動接点５が、中央の固定接点４と所定の間隙を空けて対向載置されて、複数のスイッチ接点が形成されている。
【０００７】
さらに、６はゴム等の弾性シートで、この弾性シート６が配線基板３上面に載置されると共に、可動接点５上方には下面に突起が形成された薄肉部６Ａが設けられて、スイッチ装置が構成されている。
【０００８】
また、配線基板３の上下面には、発光ダイオード等の電子部品によってリモコン信号を送信する送信手段７や、配線パターンを介して送信手段７や固定接点４等に接続された、マイコン等の制御手段８が形成されている。
【０００９】
そして、９は略箱型で絶縁樹脂製のカバーで、このカバー９が操作体２や配線基板３が収納されたケース１下面を覆うと共に、ねじ（図示せず）等によってケース１とカバー９が締付され固着されて、リモコン送信機が構成されている。
【００１０】
以上の構成において、リモコン送信機を操作する電子機器に向け、所定の操作体２の操作部２Ａを押圧操作すると、押圧部２Ｂが弾性シート６の薄肉部６Ａを介して、可動接点５を押圧するため可動接点５が弾性変形して反転し、中央下面が中央の固定接点４に接触して、外側と中央の固定接点４の電気的接離が行われる。
【００１１】
そして、このスイッチ接点の電気的接離に応じて制御手段８が、送信手段７から赤外線のリモコン信号を電子機器へ送信し、例えば、テレビやビデオの電源の入／切や選局切換え、音量の増減等が遠隔操作によって行われる。
【００１２】
なお、この時、ケース１の開口孔１Ａ外周には、操作体２外周と僅かな隙間を空けて下方へ突出する略角筒状のガイド壁１Ｂが設けられているため、操作体２の傾きやがたつき等が少ない状態で、操作体２の押圧操作が行えるようになっている。
【００１３】
つまり、操作部２Ａ外周に近い長さのガイド壁１Ｂの内周全体で、操作体２の外周全体をガイドすることによって、操作時の操作体２の傾きやがたつき等を防ぐと共に、多少大きな力で操作体２を押圧しても、操作体２がケース１内に潜り込んでしまうことを防止し、確実な押圧操作が可能なように構成されているものであった。
【００１４】
なお、この出願の発明に関連する先行技術文献情報としては、例えば、特許文献１が知られている。
【特許文献１】特開２００６−１６４８７１号公報
【発明の開示】
【発明が解決しようとする課題】
【００１５】
しかしながら、上記従来のスイッチ装置やリモコン送信機においては、操作体２外周との隙間が僅かで、比較的寸法の長いガイド壁１Ｂによって操作体２をガイドしているため、操作体２やケース１上面に水分、特にコーヒーやジュース等の飲料が付着し、これが開口孔１Ａから流入した後、乾燥してガイド壁１Ｂとの僅かな隙間に凝固した場合、これによって操作体２の上下動が妨げられ、操作感触が損なわれることや、操作体２が動かず操作が行いづらくなってしまう場合があるという課題があった。
【００１６】
本発明は、このような従来の課題を解決するものであり、良好な感触で確実な操作の可能なスイッチ装置、及びこれを用いたリモコン送信機を提供することを目的とする。
【課題を解決するための手段】
【００１７】
上記目的を達成するために本発明は、以下の構成を有するものである。
【００１８】
本発明の請求項１に記載の発明は、操作体が上下動可能に装着されたケースの開口孔の外周近傍に、下方へ突出する略筒状のガイド壁を設けると共に、このガイド壁下端に操作体の外周から突出した鍔部を当接させてスイッチ装置を構成したものであり、上方の開口孔と下方のガイド壁下端によって、操作体の傾きやがたつき等を防止できると共に、ガイド壁が開口孔外周よりやや外方に形成され、操作体外周との隙間が大きくなっているため、開口孔から飲料等が流入しても、操作体外周やガイド壁内周に付着するだけで、操作体の上下動を殆ど損なうことがないため、良好な感触で確実な操作が可能なスイッチ装置を得ることができるという作用を有する。
【００１９】
請求項２に記載の発明は、請求項１記載の発明において、ケースのガイド壁に切欠部を形成したものであり、開口孔から流入した飲料等が切欠部から流出して、操作体やガイド壁に付着することが少なくなるため、操作体の上下動をさらに滑らかに行うことができるという作用を有する。
【００２０】
請求項３に記載の発明は、請求項１記載の発明において、ケースの開口孔とガイド壁の間に傾斜部を形成したものであり、操作体がケース内に潜り込んだ場合にも、傾斜部によって戻り易くなるため、操作体の潜り込み等を防ぐことができるという作用を有する。
【００２１】
請求項４に記載の発明は、請求項１記載のスイッチ装置のスイッチ接点に制御手段を接続し、制御手段がスイッチ接点の電気的接離に応じて、送信手段からリモコン信号を送信するようにしてリモコン送信機を構成したものであり、良好な感触で確実な操作の可能なリモコン送信機を実現することができるという作用を有する。
【発明の効果】
【００２２】
以上のように本発明によれば、良好な感触で確実な操作の可能なスイッチ装置、及びこれを用いたリモコン送信機を実現できるという有利な効果が得られる。
【発明を実施するための最良の形態】
【００２３】
以下、本発明の実施の形態について、図１及び図２を用いて説明する。
【００２４】
なお、背景技術の項で説明した構成と同一構成の部分には同一符号を付して、詳細な説明を簡略化する。
【００２５】
（実施の形態）
図１は本発明の一実施の形態によるリモコン送信機の断面図、図２は同要部分解斜視図であり、同図において、１１は略箱型でＡＢＳやポリスチレン等の絶縁樹脂製のケース、１２は同じく絶縁樹脂製の操作体で、ケース１１上面には操作体１２外周よりやや大きな複数の開口孔１１Ａが形成され、この開口孔１１Ａ内に複数の操作体１２が操作部１２Ａを上方へ突出させて、上下動可能に装着されている。
【００２６】
そして、ケース１１の開口孔１１Ａ外周近傍のやや外方には、操作体１２外周と所定の隙間を空けて下方へ突出する略角筒状のガイド壁１１Ｂが設けられると共に、このガイド壁１１Ｂの四面には切欠部１１Ｃが形成され、開口孔１１Ａと四隅のガイド壁１１Ｂ内周の間には傾斜部１１Ｄが形成されている。
【００２７】
さらに、このガイド壁１１Ｂ下端には、操作体１２の外周から外方へ突出形成された鍔部１２Ｂの上面が当接すると共に、操作体１２下面には下方へ突出する押圧部１２Ｃが形成されている。
【００２８】
そして、３は紙フェノールやガラス入りエポキシ等の配線基板で、上下面に銅箔等によって複数の配線パターン（図示せず）が形成されると共に、この配線基板３上面には銅箔やカーボン等によって、複数の固定接点４が形成されている。
【００２９】
また、５は略ドーム状で銅合金等の導電金属板製の可動接点で、この可動接点５の外周下端が外側の固定接点４上に載置されると共に、中央下面が中央の固定接点４と所定の間隙を空けて対向して、複数のスイッチ接点が形成されている。
【００３０】
さらに、１６はゴムやエラストマー等の弾性シートで、この配線基板３上面に載置された弾性シート１６の、可動接点５上方には下面に突起が形成された薄肉部１６Ａが設けられると共に、端部外周に形成された凸部１６Ｂの内側には、ケース１１下面から下方へ突出した防水壁１１Ｅが弾接して、スイッチ装置が構成されている。
【００３１】
そして、配線基板３の上下面には、発光ダイオード等の電子部品によってリモコン信号を送信する送信手段７や、配線パターンを介して送信手段７や固定接点４等に接続された、マイコン等の制御手段８が形成されている。
【００３２】
また、９は略箱型で絶縁樹脂製のカバーで、このカバー９が操作体１２や配線基板３が収納されたケース１１下面を覆うと共に、ねじ（図示せず）等によってケース１１とカバー９が締付され固着されて、リモコン送信機が構成されている。
【００３３】
以上の構成において、リモコン送信機を操作する電子機器に向け、所定の操作体１２の操作部１２Ａを押圧操作すると、押圧部１２Ｃが弾性シート１６の薄肉部１６Ａを介して、可動接点５を押圧するため可動接点５が弾性変形して反転し、中央下面が中央の固定接点４に接触して、外側と中央の固定接点４の電気的接離が行われる。
【００３４】
そして、このスイッチ接点の電気的接離に応じて制御手段８が、送信手段７から赤外線のリモコン信号を電子機器へ送信し、例えば、テレビやビデオの電源の入／切や選局切換え、音量の増減等が遠隔操作によって行われる。
【００３５】
なお、この時、ケース１１の開口孔１１Ａの外周近傍には、下方へ突出する略筒状のガイド壁１１Ｂがやや外方に形成されると共に、このガイド壁１１Ｂ下端に操作体１２の外周から突出した鍔部１２Ｂが当接しているため、傾きやがたつき等が少ない状態で、操作体１２の押圧操作が行えるようになっている。
【００３６】
つまり、操作体１２上方は開口孔１１Ａによって、下方は鍔部１２Ｂ上面が当接したガイド壁１１Ｂ下端によって、各々僅かな隙間でガイドされて操作体１２の上下動が行われるため、操作時の操作体１２の傾きやがたつき等が少なくなるように構成されている。
【００３７】
また、ガイド壁１１Ｂが開口孔１１Ａの外周近傍に形成されているため、操作体１２やケース１１上面に水分、特にコーヒーやジュース等の飲料が付着し、これが開口孔１１Ａから流入した場合にも、操作体１２の上下動が妨げられ、操作感触が損なわれることや、操作体１２が動かず操作が行いづらくなることを防ぎ、良好な感触で確実な操作が可能なようになっている。
【００３８】
すなわち、ガイド壁１１Ｂが開口孔１１Ａ外周よりやや外方に形成され、操作体１２外周とガイド壁１１Ｂ内周との間には所定の隙間が設けられているため、開口孔１１Ａから飲料等が流入しても、これらは操作体１２外周やガイド壁１１Ｂ内周に付着するだけで、操作体１２の上下動を損なうことは殆どなく、良好な感触で確実な操作体１２の操作が可能なように構成されている。
【００３９】
そして、ガイド壁１１Ｂの四面には切欠部１１Ｃが形成され、開口孔１１Ａから飲料等が流入しても、これらはすぐ切欠部１１Ｃから外方へ流出して、操作体１２やガイド壁１１Ｂに付着することが少なくなるため、より操作体１２の操作に支障が生じづらいようになっている。
【００４０】
また、ケース１１の開口孔１１Ａとガイド壁１１Ｂの間に傾斜部１１Ｄが形成されているため、大きな力で押圧され、操作体１２がケース１１内に潜り込んだ場合にも、この傾斜部１１Ｄに操作体１２が弾接摺動して、戻り易くなっているため、操作体の潜り込み等を防ぎ、確実な押圧操作が行えるように構成されている。
【００４１】
さらに、配線基板３上面が弾性シート１６で覆われると共に、この弾性シート１６端部外周の凸部１６Ｂの内側には、ケース１１下面から下方へ突出した防水壁１１Ｅが弾接して、防水構成となっているため、上記のように飲料等が流入した場合でも、これが配線基板３上に流出することはなく、固定接点４や可動接点５への侵入や付着を防ぎ、スイッチ接点の確実な電気的接離が行えるようになっている。
【００４２】
このように本実施の形態によれば、操作体１２が上下動可能に装着されたケース１１の開口孔１１Ａの外周近傍に、下方へ突出する略筒状のガイド壁１１Ｂを設けると共に、このガイド壁１１Ｂ下端に操作体１２の外周から突出した鍔部１２Ｂを当接させることによって、上方の開口孔１１Ａと下方のガイド壁１１Ｂ下端によって、操作体１２の傾きやがたつき等を防止できると共に、ガイド壁１１Ｂが開口孔１１Ａ外周よりやや外方に形成され、操作体１２外周との間には所定の隙間が設けられているため、開口孔１１Ａから飲料等が流入しても、操作体１２の上下動を殆ど損なうことなく、良好な感触で確実な操作が可能なスイッチ装置、及びこれを用いたリモコン送信機を得ることができるものである。
【００４３】
なお、以上の説明では、可動接点５を固定接点４上に載置すると共に、弾性シート１６の薄肉部１６Ａを介して押圧部１２Ｃが可動接点５を押圧し、可動接点５を反転させて複数の固定接点４の電気的接離を行うスイッチ接点の構成について説明したが、薄肉部１６Ａ下面にカーボン等の可動接点を形成し、押圧部１２Ｃの押圧によって、この可動接点を対向した複数の固定接点に接離させるようにスイッチ接点を構成しても、本発明の実施は可能である。
【産業上の利用可能性】
【００４４】
本発明によるスイッチ装置及びこれを用いたリモコン送信機は、良好な感触で確実な操作が可能なものが得られ、主に各種電子機器の操作用として有用である。
【図面の簡単な説明】
【００４５】
【図１】本発明の一実施の形態によるリモコン送信機の断面図
【図２】同要部分解斜視図
【図３】従来のリモコン送信機の断面図
【図４】同要部分解斜視図
【符号の説明】
【００４６】
３  配線基板
４  固定接点
５  可動接点
７  送信手段
８  制御手段
９  カバー
１１  ケース
１１Ａ  開口孔
１１Ｂ  ガイド壁
１１Ｃ  切欠部
１１Ｄ  傾斜部
１１Ｅ  防水壁
１２  操作体
１２Ａ  操作部
１２Ｂ  鍔部
１２Ｃ  押圧部
１６  弾性シート
１６Ａ  薄肉部
１６Ｂ  凸部
【図１】
2008140672.tif 000003
【図２】
2008140672.tif 000004
【図３】
2008140672.tif 000005
【図４】
2008140672.tif 000006